(57)【特許請求の範囲】
【請求項１】
内部にディスク再生部が設けられた本体と、支持手段によって前記本体内で支持され前記本体内に収納可能かつ駆動手段によって駆動されて前記本体の正面から外部に出没可能に構成された表示部とを備えた電子機器に利用されるディスク誤挿入防止機構において、
前記表示部の前記ディスク再生部と対向する面にディスク誤挿入防止手段が設けられ、前記ディスク誤挿入防止手段は、前記表示部の出没時に、前記表示部と前記ディスク再生部との間に形成される空間に配置され、前記空間に挿入されるディスクと当接することを特徴とするディスク誤挿入防止機構。
【請求項２】
内部にディスク再生部が設けられた本体と、支持手段によって前記本体内で支持され前記本体内に収納可能かつ駆動手段によって駆動されて前記本体の正面から外部に出没可能に構成された表示部とを備えた電子機器に利用されるディスク誤挿入防止機構において、
前記表示部の本体収納時に前記本体の正面に位置する前記表示部の領域に第１のディスク誤挿入防止手段が設けられ、前記第１のディスク誤挿入防止手段は、本体正面から見た際に、前記表示部と前記ディスク再生部との間に形成される空間の入り口を覆い、
前記表示部の前記ディスク再生部と対向する面に第２のディスク誤挿入防止手段が設けられ、前記第２のディスク誤挿入防止手段は、前記表示部の出没時に、前記表示部と前記ディスク再生部との間に形成される空間に配置され、前記空間に挿入されるディスクと当接することを特徴とするディスク誤挿入防止機構。
【請求項３】
前記表示部は、表示パネルと、前記表示パネルよりも前記本体の背面側に配置され前記表示パネルを支持および駆動させるパネル駆動部材とを備え、前記表示パネルは、ほぼ水平に前記本体内に収納され、かつ、前記パネル駆動部材によって駆動され前記パネル駆動部材とともに前記本体内をスライド移動するとともに外部においてチルド移動して表示面を前記本体の正面に向けるように構成され、
前記表示パネルの本体収納時に前記本体の正面に位置する前記表示パネルの領域が、本体正面から見た際に前記表示パネルと前記ディスク再生部との間に形成される空間の入り口を覆う厚さに形成されて前記第１のディスク誤挿入防止手段を構成することを特徴とする請求項２に記載のディスク誤挿入防止機構。
【請求項４】
前記表示パネルは、前記表示面を前記ディスク再生部に向けて前記本体に収納され、かつ、前記表示面の外周を囲む枠材を備え、
前記第１のディスク誤挿入防止手段を構成する前記表示パネルの領域の前記枠材が、それ以外の領域の前記枠材よりも前記表示面側に大きく突出したことを特徴とする請求項２または３に記載のディスク誤挿入防止機構。
【請求項５】
前記表示部は、表示パネルと、前記表示パネルよりも前記本体の背面側に配置され前記表示パネルを支持および駆動させるパネル駆動部材とを備え、前記表示パネルは、ほぼ水平に前記本体内に収納され、かつ、前記パネル駆動部材によって駆動され前記パネル駆動部材とともに前記本体内をスライド移動するとともに外部においてチルド移動して表示面を前記本体の正面に向けるように構成され、
前記第２のディスク誤挿入防止手段は、前記ディスク再生部と対向する前記パネル駆動部材の面に設けられるとともに、前記表示パネルの前記スライド移動にともなって昇降可能に構成され、
前記表示パネルの前記本体の正面に向かう前記スライド移動に伴って前記第２のディスク誤挿入防止手段が下降し、前記表示パネルの前記本体の背面に向かう前記スライド移動に伴って前記第２のディスク誤挿入防止手段が上昇することを特徴とする請求項２または３に記載のディスク誤挿入防止機構。
【請求項６】
前記第２のディスク誤挿入防止手段は、ディスクストッパ部材と、前記パネル駆動部材と前記ディスクストッパ部材との間に配置され前記ディスクストッパ部材に当接するアーム部材とを備え、
前記表示パネルの前記スライド移動に伴って前記アーム部材が前記ディスクストッパ部材の表面をスライド移動することにより、前記ディスクストッパ部材が昇降することを特徴とする請求項５に記載のディスク誤挿入防止機構。
【請求項７】
前記ディスクストッパ部材は前記アーム部材を収納する溝を有し、前記表示パネルの本体収納時に前記アーム部材が前記溝に収納されて前記ディスクストッパ部材が初期位置に配置され、
前記表示パネルの前記本体の正面に向かう前記スライド移動に伴って前記アーム部材が前記溝から出て前記ディスクストッパ部材の表面を前記本体の背面に向かってスライド移動することにより、前記ディスクストッパ部材が前記パネル駆動部材と前記ディスク再生部との間に形成される空間に配置され、
前記表示パネルの前記本体の背面に向かう前記スライド移動に伴って前記アーム部材が前記ディスクストッパ部材の表面を前記本体の正面に向かってスライド移動して前記溝に収納されることにより前記ディスクストッパ部材が前記初期位置に配置されることを特徴とする請求項６に記載のディスク誤挿入防止機構。
【発明の詳細な説明】
【技術分野】
【０００１】
本発明は、ディスク誤挿入防止機構に関する。
【背景技術】
【０００２】
車載用テレビやナビゲーション装置等の車載用電子機器には、車内のコンソールボックスやダッシュボード等の限られた狭い空間に本体が配置されることから、画像情報等の情報を表示する表示パネルが本体内に収納されるように構成されたものがある（例えば、特許文献１〜３参照）。【０００３】
また、かかる構成の車載用電子機器には、本体内にディスク再生装置が収納されてＣＤやＤＶＤ等のディスクを再生可能に構成されたものがある。例えば、シャーシに搭載されたディスク再生装置が本体内部の底面側に固定配置され、ディスク再生装置の上方の空間が表示パネルの収納空間となる。【０００４】
このようなディスク再生機能を有する車載用電子機器では、表示パネルの未使用時に、水平に寝かせた表示パネルが、ディスク再生装置の上方の収納空間に配置される。また、表示パネルの使用時には、本体内に固定されたディスク再生装置の配置は変化せず、表示パネルが本体正面側へスライド移動するとともに、外部でチルト移動して表示面を立ち上げる。【０００５】
【特許文献１】特開２００３−６６８５５号公報
【特許文献２】特開２００３−１２７７１１号公報
【特許文献３】特開２００１−１０４１５号公報
【発明の開示】
【発明が解決しようとする課題】
【０００６】
ディスク再生機能を有する車載用電子機器では、本体正面に設けられたディスク挿入口を介して、本体内に収納されたディスク再生装置にＣＤやＤＶＤ等のディスクが挿入されるが、ディスク再生装置と表示パネルとの間に空間が形成されているために、ディスクがこの空間に誤って挿入されてしまうという問題が一例として挙げられる。【０００７】
特に、運転時におけるディスク挿入では、運転者が前方に注意を向けたまま手元を見ずにディスクを挿入するので、このようなディスクの誤挿入が起こりやすい。誤挿入されたディスクは、再生できないだけでなく、取り出しが困難であるとともに、損傷するという問題が例として挙げられる。
【課題を解決するための手段】
【０００９】
請求項１に記載の発明にかかるディスク誤挿入防止機構は、内部にディスク再生部が設けられた本体と、支持手段によって前記本体内で支持され前記本体内に収納可能かつ駆動手段によって駆動されて前記本体の正面から外部に出没可能に構成された表示部とを備えた電子機器に利用されるディスク誤挿入防止機構において、前記表示部の前記ディスク再生部と対向する面にディスク誤挿入防止手段が設けられ、前記ディスク誤挿入防止手段は、前記表示部の出没時に、前記表示部と前記ディスク再生部との間に形成される空間に配置され、前記空間に挿入されるディスクと当接することを特徴とする。
【００１０】
請求項２に記載の発明にかかるディスク誤挿入防止機構は、内部にディスク再生部が設けられた本体と、支持手段によって前記本体内で支持され前記本体内に収納可能かつ駆動手段によって駆動されて前記本体の正面から外部に出没可能に構成された表示部とを備えた電子機器に利用されるディスク誤挿入防止機構において、前記表示部の本体収納時に前記本体の正面に位置する前記表示部の領域に第１のディスク誤挿入防止手段が設けられ、前記第１のディスク誤挿入防止手段は、本体正面から見た際に、前記表示部と前記ディスク再生部との間に形成される空間の入り口を覆い、前記表示部の前記ディスク再生部と対向する面に第２のディスク誤挿入防止手段が設けられ、前記第２のディスク誤挿入防止手段は、前記表示部の出没時に、前記表示部と前記ディスク再生部との間に形成される空間に配置され、前記空間に挿入されるディスクと当接することを特徴とする。
【図面の簡単な説明】
【００１１】
【図１】図１は、本発明の実施例にかかるディスク誤挿入防止機構を備えた車載用電子機器の車内取り付け状態を示す模式的な斜視図である。
【図２】図２は、図１の表示パネルが本体に収納された状態における本体の内部構造を示す透視的な側面図である。
【図３】図３は、図２の表示パネルとパネル駆動部材とを本体底面側から見た模式的な平面図である。
【図４】図４は、図１の表示パネルが外部に排出されて立ち上げられた状態における本体の内部構造を示す透視的な側面図である。
【図５】図５は、図４の表示パネルとパネル駆動部材とを本体底面側から見た模式的な平面図である。
【図６】図６は、図２のディスクストッパの部分拡大図である。
【図７】図７は、図４のディスクストッパの部分拡大図である。
【図８】図８は、表示パネルの排出動作を説明するための模式的な斜視図であり、表示パネルが本体に収納された状態を示す図である。
【図９】図９は、表示パネルの排出動作を説明するための模式的な斜視図であり、表示パネルが外部に排出された状態を示す図である。
【図１０】図１０は、表示パネルの排出動作を説明するための模式的な斜視図であり、表示パネルが立ち上げられた状態を示す図である。
【符号の説明】
【００１２】
１  本体
２  表示パネル
３  パネル駆動部材
４  ディスク再生装置
５  パネル収納空間
６  ガイドレール
７  スライドストッパ
８  グリル
２３  表示面
２４ａ  上辺枠材
３５  ディスクストッパ
３６  トリガレバー
３７  板バネ
８２  ディスク挿入口
１００  ディスク
３５３  アーム
３５５  ディスク当接ヘッド
３５６  アーム収納溝
３５７  スライドステージ
３６１  基部
３６２  レバーアーム
３６７  スライドストッパ当接突起
【発明を実施するための最良の形態】
【００１３】
本実施の形態は、例えば、ディスク挿入口へ正確にディスクを挿入できることを目的の１つとする。【００１４】
本発明の実施の形態にかかる電子機器は、内部にディスク再生部が設けられた本体と、支持手段によって本体内で支持され本体内に収納可能かつ駆動手段によって駆動されて本体の正面から外部に出没可能に構成された表示部とを備える。そして、本体収納時に本体の正面に位置する表示部の領域に、第１のディスク誤挿入防止手段が設けられるとともに、表示部のディスク再生部と対向する面に、第２のディスク誤挿入防止手段が設けられている。【００１５】
第１のディスク誤挿入防止手段は、本体正面から見た際に、表示部とディスク再生部との間に形成される空間の入り口を覆うように構成されている。例えば、本体収納時に本体の正面に位置する表示部の領域が、本体正面から見た際に、表示部とディスク再生部との間に形成される空間の入り口を覆う厚さに形成されて第１のディスク誤挿入防止が構成される。【００１６】
また、第２のディスク誤挿入防止手段は、表示部の出没時に表示部とディスク再生部との間に形成される空間に配置され、該空間に挿入されるディスクと当接するように構成されている。例えば、第２のディスク誤挿入防止手段は、表示部のスライド動作に伴って昇降可能に構成されてもよい。
【実施例】
【００１７】
以下に、本実施の形態にかかる実施例について添付図面を参照して説明する。ここでは、本実施の形態を車載用のテレビやナビゲーション装置等の車載用電子機器に適用した場合を例示して説明する。【００１８】
図１は、本発明の実施例にかかるディスク誤挿入防止機構を備えた車載用電子機器の車内取り付け状態を例示する模式的な斜視図である。【００１９】
また、図２および図３は、図１の車載用電子機器の表示パネル２が本体１の内部に収納された状態（以下、この状態をパネル収納時と呼ぶ）を示す図であり、図２は透視的に本体１の内部構造を示す側面図であり、図３は、図２の表示パネル２およびパネル駆動部材３を本体１の底面側から見た模式的な平面図である。【００２０】
また、図４および図５は、図１の車載用電子機器の表示パネル２が本体１の外部に排出されて表示パネル２が立ち上げられた状態（以下、この状態をパネル出没時と呼ぶ）を示す図であり、図４は透視的に本体１の内部構造を示す側面図であり、図５は、図４の表示パネル２およびパネル駆動部材３を本体１の底面側から見た模式的な平面図である。【００２１】
また、図６は、図２および図３に示すパネル収納時におけるディスクストッパ３５の動作を示す模式的な部分拡大図であり、図７は、図４および図５に示すパネル出没時におけるディスクストッパ３５の動作を示す模式的な部分拡大図である。【００２２】
また、図８〜図１０は、図１の表示パネル２の排出動作および立ち上げ動作を説明するための模式的な斜視図である。【００２３】
図１、図２および図４に示すように、車載用電子機器は、車内のコンソールボックスやダッシュボード等に載置される本体１と、本体１から出没して画像情報等の情報を表示する表示パネル２とを主たる構成要素として備えている。表示パネル２は、図２に示すように、本体１内に収納可能に構成されるとともに、図４に示すように、本体１内に設けられたパネル駆動部材３により、本体１内においてスライド移動可能かつ外部においてチルト移動可能に構成されている。【００２４】
図２および図４に示すように、本体１は、対向配置された天板と底板およびこれらの外周に連続して配置された左右の側板および背板によって構成された四角い箱形形状を有し、正面が開口している。本体１の内部には、シャーシ（図示せず）に取り付けられたディスク再生装置４が、底面側に載置されている。ディスク再生装置４は従来のディスク再生装置と同様の構成を有しており、ここでは説明を省略する。【００２５】
ディスク再生装置４の上方には、表示パネル２およびパネル駆動部材３の収納空間となるパネル収納空間５が形成されている。図３および図５に示すように、パネル収納空間５を構成する本体１の左右の側板の内面には、表示パネル２およびパネル駆動部材３のスライド移動におけるガイドレール６が配設されるとともに、一方のガイドレール６には、本体１の内方に突出してスライドストッパ７が配設されている。【００２６】
図２および図４に示すように、本体１の正面（すなわち開口側）には、ディスク再生装置４が配設された部分を覆うように、正面カバーであるグリル８が取り付けられている。一方、グリル８が取り付けられていない本体１のパネル収納空間５は、外部と連通している。【００２７】
グリル８の正面には、車載用電子機器の動作を制御するための各種の入力設定手段（例えばツマミ８１）が設けられている。また、グリル８の正面には、水平方向に所定の幅でディスク挿入口８２（図８参照）が形成されている。【００２８】
図１に示すように、表示パネル２は、液晶表示モニタ等の表示モニタ２１を有しており、ナビゲーション地図画面やテレビ画面等の画像情報や文字情報が、この表示モニタ２１の表示面２３に表示される。表示パネル２は、表示モニタ２１が四角い箱形の筐体２２内に収納配置された構成を有し、筐体２２は、表示モニタ２１の裏面および側面全体を覆うとともに、表示面２３の外周を枠状に囲んでいる。ここでは、表示面２３を囲む枠状の筐体２２の部分を、筐体２２の枠材２４と呼ぶ。枠材２４は、四角形状の表示面２３の縁部に沿って配置されている。【００２９】
枠材２４は、表示面２３の縁部に配置されていることから、表示パネル２の側面視において表示画２３よりも突出している。そして、特に、表示面２３の上辺に沿って載置された枠材２４（以下、これを上辺枠材２４ａと呼ぶ）は、他の３辺に配置された枠材２４よりも厚く形成されており、よって、他の３辺の枠材２４に比べて表示面２３から大きく突出している。なお、ここでは、表示面２３から枠材表面までの距離を枠材２４の厚さと呼ぶ。また、ここでは、使用時の立ち上げた状態を基準に表示パネル２の上下を決めている。【００３０】
図２に示すように、ここでは、パネル収納時において表示パネル２とディスク再生装置４との間に形成される空間（以下、これをディスク誤挿入空間と呼ぶ）Ｓの本体正面視における空間入り口が、上辺枠材２４ａによって覆われるように、上辺枠材２４ａの厚さが設定されている。すなわち、パネル収納時には、本体正面から見ると、表示パネル２の上辺枠材２４ａによって、ディスク誤挿入空間Ｓが隠される。後述するように、本実施例では、この上辺枠材２４ａによって第１のディスク誤挿入防止機構が構成される。【００３１】
本体１のパネル収納空間５内に収納された表示パネル２は、表示面２３を下側に向け、パネル収納空間５に水平に配置されている。かかる状態では、上辺枠材２４ａが配置された表示パネル２の上端部が、本体正面に配置される。【００３２】
表示パネル２の本体背面側には、パネル駆動部材３が配設されている。図８〜図１０において後述するように、このパネル駆動部材３によって、表示パネル２は、本体１の内部に形成されたパネル収納空間５を前後にスライド移動するとともに、本体１の外部において、表示を見やすい角度までチルト移動することが可能となる。【００３３】
なお、ここでは、本体正面側を前方および本体背面側を後方とし、前方に向かうスライド移動を前進、後方に向かうスライド移動（すなわち収納動作）を後退と定義している。【００３４】
図２および図４に示すように、パネル駆動部材３は、表示パネル２を支持するパネル支持手段たるアーム３３と、表示パネル２を駆動させるための駆動手段（図示せず）とを含んで構成されている。ここでは図示を省略しているが、パネル駆動部材３の駆動手段は、例えば、駆動源であるモータと、モータの回転を駆動力として表示パネル２に伝達するギア等の伝達手段と、表示パネル２のスライド移動量およびチルト角度を検出するとともに該検出結果に基づいてモータの回転を制御する制御手段とを含む。【００３５】
パネル駆動部材３のアーム３３の先端は、表示パネル２の底辺に配置されたチルト軸３４に取り付けられている。それにより、表示パネル２が、パネル駆動部材３のアーム３３に軸支された構成となる。【００３６】
表示パネル２のチルト軸３４の周辺にはチルトアップギア（図示せず）が配設され、一方、このチルトアップギアと係合するチルトアップ駆動ギア（図示せず）が、パネル駆動部材３のアーム３３に取り付けられている。かかる構成によって、表示パネル２が、チルト軸３４の周囲を回動可能となる。【００３７】
図３および図５に示すように、パネル駆動部材３および表示パネル２は、本体１の左右の側板内面にそれぞれ水平に延在して配置されたガイドレール６上に載置されており、それにより、表示パネル２が、パネル収納空間５内にて水平に進退自在にスライド移動可能に支持される。【００３８】
さらに、パネル駆動部材３の底面には、ディスクストッパ３５と、トリガレバー３６とを含んで構成される第２のディスク誤挿入防止機構が配設されている。【００３９】
具体的には、第２のディスク誤挿入防止機構は、パネル駆動部材３の底面に取り付けられたディスクストッパ３５と、パネル駆動部材３の底面とディスクストッパ３５との間に配置されたトリガレバー３６と、ディスクストッパ３５をパネル駆動部材３の底面側に押圧する板バネ３７と、により構成される。ここでは、ディスクストッパ３５は樹脂材料で構成され、トリガレバー３６および板バネ３７は、板金プレス加工された金属材料で構成されている。【００４０】
ディスクストッパ３５は、平面視において、四角形が組み合わされた凸型の板状部材である。具体的には、ディスクストッパ３５は、四角形状の第１の領域３５１と、第１の領域３５１よりも広く形成された四角形状の第２の領域３５２と、Ｌ字状のアーム３５３とを有する。【００４１】
第１の領域３５１は、第２の領域３５２から表示パネル２側に突出している。また、アーム３５３は、Ｌ字の一端が第２の領域３５２に接続されるとともに他端が表示パネル２と反対側に突出している。このアーム３５３の突出した他端は、パネル駆動部材３の底面に配設された取り付け部材４００に回動可能に軸支され、それにより、ディスクストッパ３５が、アーム３５３の軸３５４（図２および図４参照）を中心に回動可能にパネル駆動部材３に取り付けられる。ここでは、パネル駆動部材３の底面のほぼ中央に、ディスクストッパ３５が配置されている。【００４２】
図６および図７に示すように、パネル駆動部材３の底面と面するディスクストッパ３５の第１および第２の領域３５１，３５２（図３参照）の表面には、所定の段差がそれぞれ形成されており、それにより、ディスクストッパ３５の表面が凹凸を有している。このような凹凸によって区画されて、第１の領域３５１（図３参照）に、ディスク１００（図２参照）と当接するディスク当接ヘッド３５５が形成され、第２の領域３５２（図３参照）に、トリガレバー３６がスライド移動するスライドステージ３５７が形成され、ディスク当接ヘッド３５５とスライドステージ３５７との間の凹部に、トリガレバー３６のレバーアーム３６２を収納するアーム収納溝３５６が形成される。【００４３】
アーム収納溝３５６では、ディスク当接ヘッド３５５側の側壁が、スライドステージ３５７側の側壁に比べて、溝の底面に対して急な角度に形成されている。また、スライドステージ３５７の表面は、アーム収納溝３５６側から後方にかけてごく緩やかに下降するように傾斜しており、それに伴って、スライドステージ３５７の厚さが薄くなっている。したがって、スライドステージ３５７は、表面の高さがアーム収納溝３５６の近傍ではディスク当接ヘッド３５５とほぼ同じであるが、後方に行くにしたがってディスク当接ヘッド３５５よりも低くなっている。また、スライドステージ３５７の裏面には、板バネ３７（図３および図５参照）の先端が当接する。【００４４】
一方、トリガレバー３６は、図３および図５に示すように、位置決め用ピン３６３および引っ張りコイルバネ３６４を介して、パネル駆動部材３の底面に取り付けられている。トリガレバー３６は、位置決め用ピン３６３および引っ張りコイルバネ３６４によりパネル駆動部材３の一方の側部に取り付けられた基部３６１と、基部３６１から表示パネル２の底辺に沿って延設されディスクストッパ３５の配置位置に至るレバーアーム３６２と、を有する。基部３６１とレバーアーム３６２とは、板金プレス加工により一体的に形成されている。【００４５】
基部３６１は、スライドガイド用に２箇所に形成された切り欠き３６５と、バネ係止部３６６と、スライドストッパ当接突起３６７とを有する。切り欠き３６５は、一端を突出させてパネル駆動部材３の底面に挿嵌された位置決め用ピン３６３の突出端部よりも大径に形成された円形孔と、この円形孔から後方に延設された位置決め用ピン３６３の突出端部よりも小径のストライプ孔とから構成される。切り欠き３６５のストライプ孔は、本体１の側板と平行に形成されている。【００４６】
トリガレバー３６をパネル駆動部材３の底面に取り付ける際には、位置決め用ピン３６３が切り欠き３６５の円形孔内に位置するようにトリガレバー３６を配置し、その後、トリガレバー３６を前方にスライドさせて位置決め用ピン３６３をストライプ孔に誘導する。それにより、位置決め用ピン３６３の鍔部とパネル駆動部材３の底面との間にトリガレバー３６が挟持され、トリガレバー３６が位置決め用ピン３６３にスライド自在に係合された構成が実現される。【００４７】
また、トリガレバー３６の基部３６１の後方端には、基部３６１の表面からディスク再生装置４（図２および図４参照）側に垂直に突出するスライドストッパ当接突起３６７が配設されている。詳細は後述するが、図５に示すように、このスライドストッパ当接突起３６７は、パネル駆動部材３の前方へのスライド動作に伴って、本体１内部のスライドストッパ７に当接する。【００４８】
さらに、基部３６１には、スライドストッパ当接突起３６７と内方に対向して、かぎ爪状のバネ係止部３６６が配設されている。このバネ係止部３６６に引っ張りコイルバネ３６４の一端が係止される。そして、引っ張りコイルバネ３６４の他端は、パネル駆動部材３の底面に配設されたバネ係止部３６８に係止される。バネ係止部３６８は、バネ係止部３６６と同様のかぎ爪形状を有している。【００４９】
この２つのバネ係止部３６６，３６８に架け渡された引っ張りコイルバネ３６４は、軸方向を切り欠き３６５の延在方向と一致させて配置される。さらに、図５に示すように、引っ張りコイルバネ３６４が伸張した際に、バネ係止部と３６８とトリガレバー３６の基部３６１とが当接しないように、基部３６１には、切り欠き３６９が形成されている。【００５０】
一方、図３および図５に示すように、トリガレバー３６のレバーアーム３６２は、平面視において、先端側の幅が基部３６１側の幅よりも狭くなっている。後述するように、この幅の狭い先端側の所定領域が、ディスクストッパ３５の表面と当接する。【００５１】
基部３６１を介してパネル駆動部材３の底面に取り付けられているレバーアーム３６２の先端がパネル駆動部材３に接するように板バネ３７が取り付けられている。【００５２】
次に、表示パネル２の排出動作および収納動作について説明する。【００５３】
まず、図８に示すように本体１に収納された表示パネル２を出没させる際には、グリル８（図１参照）の正面に配設された入力設定手段（図示せず）に入力を行い、パネル駆動部材３を駆動させる。具体的には、パネル駆動部材３の駆動手段（図示せず）を駆動させ、その駆動力ギア等の伝達手段（図示せず）を介して、表示パネル２に伝達する。それにより、図９に示すように、パネル駆動部材３とともに表示パネル２が、本体１内のガイドレール６（図１０参照）に沿って前方に向かって水平にスライド移動して外部に排出される。【００５４】
ここで、このような表示パネル２およびパネル駆動部材３のスライド移動では、本体１内に配設された光学式センサ等のスライド量検出手段（図示せず）によって、表示パネル２の移動量が検出される。そして、この検出情報に基づいて、制御手段（図示せず）によりパネル駆動部材３の駆動手段（図示せず）が制御される。それにより、所定の排出位置で表示パネル２のスライド移動を停止させることが可能となる。【００５５】
表示パネル２が本体１の外部に排出された後、図１０に示すように、排出時に最前に配置された表示パネル２の上端が頂部にくるよう、パネル駆動部材３が、表示パネル２をチルト移動させる。それにより、表示パネル２の立ち上げが行われて表示面２３が正面に配置される。以上のように、表示パネル２の排出動作および立ち上げ動作により、表示パネル２が出没する。【００５６】
一方、表示パネル２の使用が済んだら、再び入力設定手段（図示せず）により入力を行う。それにより、上記とは逆の順序で逆向きの各動作が行われ、外部に出没していた表示パネル２が、パネル駆動部材３とともに再び本体１に収納される。すなわち、表示パネル２の収納動作では、まず、表示パネル２が表示面２３を下に向けて水平に寝た状態となるように、表示パネル２の上端部を排出時の位置まで下げる上記と逆向きのチルト移動が実施され、続いて、表示パネル２およびパネル駆動部材３を上記と逆に後方にスライド移動させて元の収納位置まで後退させる。【００５７】
続いて、本実施例におけるディスクの誤挿入防止方法を、表示パネル２の動作と合わせて説明する。【００５８】
まず、図２および図３に示すように、表示パネル２が本体１内に収納された状態では、表示面２３を下に向けた状態で水平に表示パネル２がパネル収納空間５に収納されており、また、上端部を含むパネル上方の所定領域が、本体１から正面に露出している。このような配置では、上辺枠材２４ａを含む表示パネル２の上端部が本体１の正面に配置され、上辺枠材２４ａが、グリル８の正面に形成されたディスク挿入口（図示せず）の上方にこのディスク挿入口に沿って配置される。【００５９】
ここで、前述のように、上辺枠材２４ａは、他の部分の枠材２４よりも厚く形成されて表示面２３側に大きく突出しているので、本体１を正面から見た際に、上辺枠材２４ａを含む表示パネル２の上端部によって、表示パネル２とディスク再生装置４との間に形成されたディスク誤挿入防止空間Ｓの入り口が覆われる。具体的には、本体正面からの平面視において、上辺枠材２４ａの配置領域内に、ディスク誤挿入空間Ｓの入り口が完全に収まった構成となっている。【００６０】
このように、正面視においてディスク誤挿入空間Ｓの入り口と外部とが上辺枠材２４ａによって隔てられることから、従来ではディスク誤挿入空間Ｓの入り口が外部に開放されているためディスク誤挿入空間Ｓへディスク１００が誤挿入されていたが、本実施例では、挿入時にディスク１００が上辺枠材２４ａに当接するので、ディスク誤挿入空間Ｓへのディスク１００の誤挿入が防止される。【００６１】
上辺枠材２４ａは、上記のようにディスク誤挿入空間Ｓの入り口を覆うが、グリル８のディスク挿入口（図示せず）は覆わない厚さに形成されている。このため、上辺枠材２４ａは、ディスク挿入口へのディスク挿入の妨げとはならない。特に、ここでは、上辺枠材２４ａの表面（正面から見た際は底面に相当する）に沿ってディスク１００を本体側へ水平移動させることにより、容易にディスク挿入口へディスクを挿入することが可能となる。【００６２】
このように、表示パネル２の収納時には、上辺枠材２４ａによって、ディスクの誤挿入が防止可能となる。したがって、本実施例では、上辺枠材２４ａが第１のディスク誤挿入防止手段に相当する。【００６３】
一方、図４および図５に示すように、表示パネル２が出没した状態では、表示パネル２が立ち上げられて上辺枠材２４ａがディスク誤挿入空間Ｓの入り口とは異なる位置に配置されるため、上記のような上辺枠材２４ａによるディスク誤挿入防止を実現することができない。そこで、この場合には、以下のようにして、ディスクストッパ３５により、ディスク誤挿入を防止する。【００６４】
まず、表示パネル２が本体１に収納されている際のディスクストッパ３５およびトリガレバー３６の状態について説明する。図２および図３に示すように、パネル収納時には、トリガレバー３６の切り欠き３６５の後方端に位置決め用ピン３６３が当接し、トリガレバー３６が表示パネル２に近い位置に配置される。かかる配置のトリガレバー３６では、基部３６１のスライドストッパ当接突起３６７が本体１の内部に形成されたスライドストッパ７に当接していない。また、引っ張りコイルバネ３６４はわずかな引張力しか受けておらず、初期状態に保持されている。【００６５】
図６に示すように、かかるトリガレバー３６の配置では、トリガレバー３６のレバーアーム３６２の先端が、ディスクストッパ３５のアーム収納溝３５６に収納される。このようにレバーアーム３６２の先端がアーム収納溝３５６に配置された状態では、レバーアーム３６２によりアーム収納溝３５６の底面が押圧されるが、溝が形成された分だけ押圧力は緩和されている。したがって、軸３５４を中心に回動自在に構成されたディスクストッパ３５は、表面に受けるレバーアーム３６２からの下向きの押圧力と、裏面に受ける板バネ３７からの上向きの押圧力とのバランスにより、パネル駆動部材３の底面とほぼ平行に保持される。【００６６】
ここでは、このように平行に配置されたディスクストッパ３５のディスク当接ヘッド３５５の位置を、ヘッド初期位置と呼ぶ。ディスク当接ヘッド３５５がヘッド初期位置にあるディスクストッパ３５は、本体１の内部においてディスク再生装置４等の他の部材に当接しておらず、よって、他の部材やその動作の妨げとはならない。【００６７】
次に、図９の表示パネルの排出動作におけるディスクストッパ３５およびトリガレバー３６の動作について説明する。【００６８】
パネル排出時に前述のようにパネル駆動部材３が前方へスライド移動すると（図９参照）、パネル駆動部材３に取り付けられたトリガレバー３６は、パネル駆動部材３とともに本体１の内部を前方に向かってスライド移動する。以下においては、このようなパネル駆動部材３に付随したパネル駆動部材３と同一の進行方向のスライド移動を、トリガレバー３６の第１のスライド移動と呼ぶ。【００６９】
上記第１のスライド移動では、図３に示すパネル収納時と同様、トリガレバー３６のスライドストッパ当接突起３６７はスライドストッパ７と当接せず、引っ張りコイルバネ３６４も初期状態である。それゆえ、第１のスライド移動におけるトリガレバー３６のパネル駆動部材３底面での位置は、図３に示す前述のパネル収納時における位置、すなわち表示パネル２に近い位置に保持される。したがって、第１のスライド移動時には、図６に示すように、前述のパネル収納時と同様、トリガレバー３６のレバーアーム３６２の先端が、ディスクストッパ３５のアーム収納溝３５６に収納されている。この状態では、ディスクストッパ３５がパネル駆動部材３の底面にほぼ平行に配置され、ディスク当接ヘッド３５５がヘッド初期位置に配置されている。【００７０】
表示パネル２およびパネル駆動部材３が前方へ所定量スライド移動すると、図５に示すように、トリガレバー３６のスライドストッパ当接突起３６７が、本体１のスライドストッパ７に当接する。ここでは、表示パネル２全体が外部に排出されるとともにパネル駆動部材３の所定部分までが外部に排出されると、トリガレバー３６のスライドストッパ当接突起３６７がスライドストッパ７に当接する。【００７１】
このようにトリガレバー３６のスライドストッパ当接突起３６７がスライドストッパ７に当接した状態で、さらに表示パネル２およびパネル駆動部材３が前方へ所定量スライド移動する。このスライド移動では、本体１の内部におけるトリガレバー３６の配置位置は変化しない（すなわち、スライドストッパ７との当接位置に保持されたまま）が、パネル
駆動部材３が前方へスライド移動するため、パネル駆動部材３の底面におけるトリガレバー３６の相対位置が変化する。【００７２】
この場合、本体１の内部におけるトリガレバー３６の配置位置は実際には変化しないものの、パネル駆動部材３の底面における相対配置に着目すると、トリガレバー３６が、表示パネル２およびパネル駆動部材３と逆に後方にスライド移動していると見なせる。よって、ここでは、このようなパネル駆動部材３の底面におけるトリガレバー３６の相対的な配置変化を、トリガレバー３６の第２のスライド移動と呼ぶ。【００７３】
この第２のスライド移動により、パネル駆動部材３の底面におけるトリガレバー３６の位置が、図３に示すパネル収納時や第１のスライド移動時における位置よりも、後方となる。すなわち、切り欠き３６５の後方端に当接していた位置決め用ピン３６３の相対位置が、切り欠き３６５の前方端側に変化する。また、パネル駆動部材３の底面のバネ係止部３６８に一端が係止された引っ張りコイルバネ３６４は、この第２のスライド移動によって伸張する。【００７４】
そして、このようなトリガレバー３６の第２のスライド移動に伴って、ディスクストッパ３５におけるトリガレバー３６（具体的には、レバーアーム３６２の先端）の相対配置が変化する。すなわち、トリガレバー３６は、実際にはスライドストッパ７と当接した位置に保持されているが、ディスクストッパ３５がパネル駆動部材３の前方へのスライド移動に付随してスライド移動するため、トリガレバー３６とディスクストッパ３５との相対配置が変化する。【００７５】
具体的には、アーム収納溝３５６に収納されていたトリガレバー３６のレバーアーム３６２の先端が、図５および図７に示すように、アーム収納溝３５６の側壁を越えてディスクストッパ３５のスライドステージ３５７の表面に達し、スライドステージ３５７の表面に沿って後方に向かいスライド移動する。ここで、アーム収納溝３５６のスライドステージ３５７側の側壁は、ディスク当接ヘッド３５５側の側壁に比べて傾斜が緩やかであるため、側壁がレバーアーム３６２のスライド移動における障壁とはならず、よって、レバーアーム３６２は、容易にアーム収納溝３５６からスライドステージ３５７に達することが可能である。【００７６】
表示パネル２およびパネル駆動部材３が所定位置までスライド移動してパネル排出動作が終了すると、トリガレバー３６の第２のスライド移動が終了する。第２のスライド移動の終了時には、図５に示すように、位置決め用ピン３６３が切り欠き３６５の前方端に当接し、トリガレバー３６が表示パネル２からの距離が最も遠くなる。この時、図７に示すように、トリガレバー３６のレバーアーム３６２の先端は、ディスクストッパ３５のスライドステージ３５７の後方端に配置される。そして、パネル排出動作に続くパネル立ち上げ動作（具体的には、表示パネル２のチルト移動）では、このようにスライドステージ３５７の後方端にレバーアーム３６２が配置された状態が保持される。【００７７】
上記のようにスライドステージ３５７の後方端に配置されたレバーアーム３６２の先端は、スライドステージ３５７に当接してその表面を下向きに押圧する。この時の押圧力は、該先端が前述のアーム収納溝３５６に収納された場合に比べて押圧対象（すなわちスライドステージ３５７の表面）との距離が近くなることから、アーム収納溝３５６に該先端が収納された場合の押圧力に比べて強くなる。【００７８】
そして、図７に示すように、ディスクストッパ３５は、レバーアーム３６２の先端からスライドステージ３５７の表面に受ける下向きの押圧力と、板バネ３７（図５参照）によりスライドステージ３５７の背面から受ける上向きの押圧力とのバランスにより、パネル駆動部材３の底面から離れる方向に回動して傾斜配置となる。それにより、ディスクストッパ３５のディスク当接ヘッド３５５が下降し、図６に示すヘッド初期位置よりも下方に配置される。図４に示すように、下降したディスク当接ヘッド３５５は、グリル８の上面に当接する。そして、表示パネル２の立ち上げ動作時およびパネル使用時には、このようにディスク当接ヘッド３５５が下降した状態が保持される。【００７９】
図４に示すように、表示パネル２を立ち上げた状態では、構成上、パネル収納時のように第１のディスク誤挿入防止手段である上辺枠材２４ａによるディスク誤挿入防止は実現できないが、この場合には、上記のようにディスクストッパ３５のディスク当接ヘッド３５５が下降してグリル８の上面と当接するため、パネル支持部材３の底面とディスク再生装置４との間に形成されるディスク誤挿入空間Ｓに誤ってディスク１００を挿入しようとすると、ディスクストッパ３５のディスク当接ヘッド３５５にディスク１００が当接するため、ディスク誤挿入空間Ｓの内部への誤挿入が防止される。【００８０】
続いて、表示パネル２およびパネル駆動部材３を再び本体１に収納する際のトリガレバー３６およびディスクストッパ３５の動作について説明する。【００８１】
表示パネル２およびパネル駆動部材３を収納する際には、立ち上げ時と回転方向が逆のチルト移動により、図９に示すように表示パネル２が表示面２３を下向きにして水平に寝かされるが、この時、トリガレバー３６およびディスクストッパ３５は、パネル駆動部材３の位置が変化しないことから、ディスク当接ヘッド３５５を下降させた図７に示す状態に保持される。【００８２】
続いて、図９に示す状態の表示パネル２とパネル駆動部材３とが、排出時とは逆に本体１の後方に向かってスライド移動するが、この時、スライド移動が所定量に達するまでは、図５の場合と同様、トリガレバー３６のスライドストッパ当接突起３６７がスライドストッパ７に当接した状態が保持される。このような当接状態は、引っ張りコイルバネ３６４の収縮によって自動で実現される。【００８３】
このようにトリガレバー３６のスライドストッパ当接突起３６７がスライドストッパ７と当接した状態でパネル駆動部材３が後方にスライド移動すると、本体１の内部におけるトリガレバー３６位置は変化しないものの、パネル駆動部材３の底面におけるトリガレバー３６の相対配置が変化することから、パネル駆動部材３の底面においてトリガレバー３６が前方にスライド移動すると見なせる。したがって、ここでは、パネル収納動作におけるこのようなトリガレバー３６の相対配置の変化を、トリガレバー３６の第３のスライド移動と呼ぶ。【００８４】
トリガレバー３６の第３のスライド移動により、図３に示すように、切り欠き３６５の前方端に当接していた位置決め用ピン３６３が切り欠き３６５の後方端に当接し、トリガレバー３６が表示パネル２に近い位置に配置される。このように表示パネル２に近い位置に配置されたトリガレバー３６では、引っ張りコイルバネ３６４の収縮が停止して初期状態が保持される。【００８５】
上記のトリガレバー３６の第３のスライド移動に伴って、図７に示すように、ディスクストッパ３５の後方端に配置されていたトリガレバー３６のレバーアーム３６２の先端が、ディスクストッパ３５のスライドステージ３５７の表面を前方に向かってスライド移動する。【００８６】
そして、このようなディスクストッパ３５におけるレバーアーム３６２の先端のスライド移動に伴って、該先端がスライドステージ３５７の表面を下向きに押圧する力と、板バ
ネ３７（図３参照）がスライドステージ３５７の裏面を上向きに押圧する力とのバランスが変化し、それにより、ディスクストッパ３５は、パネル駆動部材３の底面との距離を近づけるように回動する。その結果、グリル８の上面に当接する位置まで下降していたディスクストッパ３５のディスク当接ヘッド３５５が上昇する。【００８７】
第３のスライド移動が終了してトリガレバー３６が図３に示す表示パネル２に近い位置に戻ると、トリガレバー３６のレバーアーム３６２の先端は、図６に示すように、アーム収納溝３５６内に収納される。そして、このようにレバーアーム３６２の先端がアーム収納溝３５６に収納されると、ディスクストッパ３５がパネル駆動部材３の底面にほぼ平行に配置され、ディスク当接ヘッド３５５がヘッド初期位置に配置される。【００８８】
トリガレバー３６が表示パネル２に近い位置（図３参照）に戻るとともにディスク当接ヘッド３５５がヘッド初期位置（図６参照）に戻った状態で、さらに表示パネル２とパネル駆動部材３とが後方にスライド移動すると、トリガレバー３６は、パネル駆動部材３の底面における位置を保持したままでパネル駆動部材３に付随して後方にスライド移動する。ここでは、このようなパネル駆動部材３に付随したパネル駆動部材３と同一の進行方向のスライド移動を第４のスライド移動と呼ぶ。【００８９】
トリガレバー３６の第４のスライド移動では、トリガレバー３６のレバーアーム３６２の先端がディスクストッパ３５のアーム収納溝３５６に収納された状態が保持されるため、ディスクストッパ３５のディスク当接ヘッド３５５は、ヘッド初期位置に保持される。したがって、表示パネル２およびパネル駆動部材３の後方へのスライド動作にディスクストッパ３５が影響を及ぼすことはなく、速やかにスライド動作が行われる。【００９０】
このように、表示パネル２の出没時には、上記のようにスライド移動するようトリガレバー３６と、トリガレバー３６のスライド移動により昇降するディスクストッパ３５とが、第２のディスク誤挿入防止手段を構成する。そして、かかる構成の第２のディスク誤挿入防止手段によって、ディスク１００の誤挿入を防止することが可能となる。このような第２のディスク誤挿入防止手段では、トリガレバー３６とディスクストッパ３５とがカム構造を構成し、トリガレバー３６が原節に相当し、ディスクストッパ３５が従節に相当する。【００９１】
以上説明したように、本実施例によれば、表示パネル２の収納時には、本体１を正面から見た際に、図２に示すように、ディスク再生装置４の上面と表示パネル３との間に形成されるディスク誤挿入空間Ｓの入り口が、表示パネル２の上端部の上辺枠材２４ａによって覆われる。したがって、ディスク誤挿入空間Ｓへのディスク１００の誤挿入が防止可能となる。【００９２】
また、図４に示すように、表示パネル２の出没時には、ディスクストッパ３５のディスク当接ヘッド３５５が下降してディスク誤挿入空間Ｓに配置されるため、ディスク誤挿入空間Ｓに誤ってディスク１００を挿入すると、ディスク当接ヘッド３５５がディスク１００に当接する。それゆえ、ディスク誤挿入空間Ｓへのディスク１００の誤挿入が防止可能となる。【００９３】
このように、本実施例によれば、表示パネル２の収納時および出没時の両方において、ディスク１００の誤挿入を防止することが可能となり、運転時においても、容易にかつ正確にディスク１００をディスク再生装置に挿入することが可能となる。したがって、誤挿入によるディスク１００等の損傷を防止することが可能となる。また、このような本実施例のディスク誤挿入防止機構は、電子機器の構成を大きく変更することなく簡単な構成により実現することができるため、機器の大型化やコスト上昇を抑えることが可能となる。【００９４】
上記の実施例においては、本発明を車載用電子機器に適用した場合を例示したが、本発明はこれ以外の電子機器にも適用可能である。【００９５】
また、本発明にかかるディスク誤挿入防止機構は、上記の実施例の構成に限定されるものではなく、これ以外の構成であってもよい。
【図１】
0004485522.tif 000002
【図２】
0004485522.tif 000003
【図３】
0004485522.tif 000004
【図４】
0004485522.tif 000005
【図５】
0004485522.tif 000006
【図６】
0004485522.tif 000007
【図７】
0004485522.tif 000008
【図８】
0004485522.tif 000009
【図９】
0004485522.tif 000010
【図１０】
0004485522.tif 000011